(57)【特許請求の範囲】
【請求項１】
送風装置と前記送風装置により送られる空気を案内するダクトとを備え、前記送風装置により送られる空気の送風方向における前記ダクトの下流側に、前記送風装置により送られる空気が衝突及び通過する通風部が設けられる送風システムであって、
前記ダクトは、前記送風装置と前記通風部との間の一部に前記送風方向と交差する方向に向けて変位させた変位部を有し、
前記通風部は、前記送風装置により送られる空気を流入する空気流入面を有しており、前記ダクトは、前記変位部が変位する変位方向とは異なる方向において前記送風方向が前記通風部の前記空気流入面に対して傾斜する傾斜部を備え、
前記傾斜部と前記変位部とは対向していることを特徴とする送風システム。
【請求項２】
請求項１に記載の送風システムであって、
前記変位部と前記通風部とが隣接していることを特徴とする送風システム。
【請求項３】
請求項１又は請求項２に記載の送風システムであって、
前記変位部は、前記ダクトの空気を囲む周方向の１箇所に設けられていることを特徴とする送風システム。
【請求項４】
請求項１から請求項３までの何れか１つに記載の送風システムであって、
前記変位部は、前記送風装置と前記通風部との間の内壁面の一部を凹状に変位させた変位凹部とされていることを特徴とする送風システム。
【請求項５】
請求項１から請求項４までの何れか１つに記載の送風システムであって、
前記ダクトは、前記送風装置と前記通風部との間に直線状の部分を有しており、
前記変位部は、前記直線状の部分に設けられていることを特徴とする送風システム。
【請求項６】
請求項１から請求項５までの何れか１つに記載の送風システムであって、
前記通風部は、フィルター、及び／又は、画像形成装置の外装部材に設けられて前記画像形成装置内の空気を外部に排気する開口を有する開口部であることを特徴とする送風システム。
【請求項７】
請求項１から請求項６までの何れか１つに記載の送風システムであって、
前記ダクトの内表面には、前記送風装置により送られる空気を前記変位部が変位する変位方向とは異なる非変位方向であって前記送風方向と交差する交差方向に偏向させるリブが設けられていることを特徴とする送風システム。
【請求項８】
請求項１から請求項７までの何れか１つに記載の送風システムを備えたことを特徴とする画像形成装置。
【発明の詳細な説明】
【技術分野】
【０００１】
送風装置と送風装置により送られる空気を案内するダクトとを備えた送風システム、特に、複写機、複合機、プリンタ等の画像形成装置（例えば、電子写真方式により記録シートに画像を形成する画像形成装置）に備えられる送風システムに関する。
【背景技術】
【０００２】
送風装置と送風装置により送られる空気を案内するダクトとを備えた送風システムにおいては、例えば、送風装置により送られる空気の送風方向におけるダクトの下流側に、送風装置により送られる空気が衝突及び通過する通風部が設けられる。具体的には、かかる送風システムを備えた画像形成装置は、一般的に、画像形成装置内の空気を送風装置からダクトにより案内して画像形成装置の通風部を介して外部に排気するようになっている。ここで、通風部としては、具体的には、画像形成装置の外装部材に設けられた開口を有する開口部（例えば、複数のスリットを有する開口部）、及び／又は、フィルター（例えば埃やトナー等の微粒子を除去する浄化フィルター、オゾンを除去するオゾンフィルター）を例示できる。
【０００３】
このような送風システムでは、送風装置により送られる空気が通風部を通過する際の風切り音が耳障りとなり、使用者に不快感を与えていた。
【０００４】
この点に関し、特許文献１は、１つの送風口から二又状に分かれたダクトを備え、該ダクトの２つの風路の内部に、各風路を分割するリブを設ける構成を開示している。
【先行技術文献】
【特許文献】
【０００５】
【特許文献１】特開２００１−１６６６２２号公報
【発明の概要】
【発明が解決しようとする課題】
【０００６】
しかしながら、特許文献１に記載の構成では、リブにより単に各風路を分割しているだけなので、送風装置により送られる空気が通風部を通過する際の風切り音の発生を抑制するようにはなっていない。
【０００７】
そこで、本発明は、送風装置と送風装置により送られる空気を案内するダクトとを備え、送風装置により送られる空気の送風方向におけるダクトの下流側に、送風装置により送られる空気が衝突及び通過する通風部が設けられる送風システムであって、送風装置により送られる空気が通風部を通過する際の風切り音の発生を抑制することができる送風システム及びそれを備えた画像形成装置を提供することを目的とする。
【課題を解決するための手段】
【０００８】
本発明者らの知見によれば、送風装置と前記送風装置により送られる空気を案内するダクトとを備え、前記送風装置により送られる空気の送風方向における前記ダクトの下流側に、前記送風装置により送られる空気が衝突及び通過する通風部が設けられる送風システムにおいては、前記ダクト内において空気の流れを変化させて前記送風装置により送られる空気の前記通風部への衝突角度を変化させると、前記通風部での風切り音の発生を抑制することができることを見出した。
【０００９】
本発明は、かかる知見に基づくものであり、前記課題を解決するために、次の送風システム及び画像形成装置を提供する。
【００１０】
（１）送風システム
送風装置と前記送風装置により送られる空気を案内するダクトとを備え、前記送風装置により送られる空気の送風方向における前記ダクトの下流側に、前記送風装置により送られる空気が衝突及び通過する通風部が設けられる送風システムであって、前記ダクトは、前記送風装置と前記通風部との間の一部に前記送風方向と交差する方向に向けて変位させた変位部を有し、前記通風部は、前記送風装置により送られる空気を流入する空気流入面を有しており、前記ダクトは、前記変位部が変位する変位方向とは異なる方向において前記送風方向が前記通風部の前記空気流入面に対して傾斜する傾斜部を備え、前記傾斜部と前記変位部とは対向していることを特徴とする送風システム。
【００１１】
（２）画像形成装置
前記本発明に係る送風システムを備えたことを特徴とする画像形成装置。
【００１２】
本発明において、前記変位部と前記通風部とが隣接している態様を例示できる。
本発明において、前記変位部は、前記ダクトの空気を囲む周方向の１箇所に設けられている態様を例示できる。
本発明において、前記変位部は、前記送風装置と前記通風部との間の内壁面の一部を凹状に変位させた変位凹部とされている態様を例示できる。
【００１３】
本発明において、前記ダクトは、前記送風装置と前記通風部との間に直線状の部分を有しており、前記変位部は、前記直線状の部分に設けられている態様を例示できる。
【００１４】
本発明において、前記通風部は、フィルター、及び／又は、画像形成装置の外装部材に設けられて前記画像形成装置内の空気を外部に排気する開口を有する開口部である場合に、本発明を好適に用いることができる。
【００１５】
本発明において、前記通風部は、前記送風装置により送られる空気を流入する空気流入面を有しており、前記ダクト及び前記送風装置は、前記変位部が変位する変位方向とは異なる非変位方向において前記送風方向が前記通風部の前記空気流入面に対して傾斜するように構成されている態様を例示できる。
【００１６】
本発明において、前記ダクトの内表面には、前記送風装置により送られる空気を前記変位部が変位する変位方向とは異なる非変位方向であって前記送風方向と交差する交差方向に偏向させるリブが設けられている態様を例示できる。
【発明の効果】
【００１７】
本発明によると、送風装置により送られる空気が通風部を通過する際の風切り音を抑制することが可能となる。
【図面の簡単な説明】
【００１８】
【図１】本実施の形態に係る画像形成装置の外観を示す斜視図である。
【図２】図１に示す画像形成装置を正面から視た概略断面図である。
【図３】第１実施形態に係る送風システムの背面側を斜め下方から視た斜視図である。
【図４】第１実施形態に係る送風システムの正面側を斜め下方から視た斜視図である。
【図５】第１実施形態に係る送風システムの平面図である。
【図６】第１実施形態に係る送風システムの底面図である。
【図７】第１実施形態に係る送風システムの正面図である。
【図８】第１実施形態に係る送風システムの背面図である。
【図９】第１実施形態に係る送風システムの左側面図である。
【図１０】第１実施形態に係る送風システムにおける送風装置及び下流側ダクトの第２ダクトカバー部材を除去した状態の背面側を左側から視た斜視図である。
【図１１】第１実施形態に係る送風システムの背面側を斜め上方から視た斜視図である。
【図１２】送風装置の内部構造を示す斜視図である。
【図１３】第１実施形態に係る送風システムにおける下流側ダクト及び送風装置の背面側を斜め上方から視た斜視図である。
【図１４】第１実施形態に係る送風システムにおける下流側ダクト及び送風装置の背面側を斜め下方から視た斜視図である。
【図１５】第１実施形態に係る送風システムにおける下流側ダクト及び送風装置の背面図である。
【図１６】第１実施形態に係る送風システムにおける第２ダクトカバー部材の裏側を示す斜視図である。
【図１７】第１実施形態に係る送風システムにおける下流側ダクト部分の図１５に示すＡ−Ａ線に沿った概略断面図である。
【図１８】下流側ダクトに設けられるフィルターを空気流入面側から視た斜視図である。
【図１９】第２実施形態に係る送風システムにおける送風装置及び下流側ダクトの第２ダクトカバー部材を除去した状態の背面側を左側から視た斜視図である。
【図２０】第２実施形態に係る送風システムにおける下流側ダクトの第２ダクトカバー部材及びフィルターを除去した状態の背面側を若干斜め上方から視た斜視図である。
【図２１】下流側ダクトにおいて変位部が内壁面の一部を凸状に変位させた変位凸部とされている例を示す概略断面図である。
【発明を実施するための形態】
【００１９】
以下、本発明に係る実施の形態について図面を参照しながら説明する。
【００２０】
［画像形成装置の全体構成］
図１は、本実施の形態に係る画像形成装置１００の外観を示す斜視図である。図２は、図１に示す画像形成装置１００を正面から視た概略断面図である。
【００２１】
図１及び図２に示す画像形成装置１００は、所定方向（この例では幅方向Ｘ）に沿って並設された複数（この例では４つ）の像担持体（具体的には感光体ドラム３ａ，３ｂ，３ｃ，３ｄ）（図２参照）を備え、外部から伝達された画像データに応じて、記録用紙等の記録シートＰ（図２参照）に対して多色及び単色の画像を形成するタンデム型のカラー画像形成装置である。画像形成装置１００は、画像形成装置本体１１０と、画像読取装置１２０とを備えている。画像形成装置本体１１０には、画像形成部１０１とシート搬送系１０２とが設けられている。ここで、幅方向Ｘは、正面から視て左右方向を意味する。
【００２２】
画像形成部１０１（図２参照）は、露光装置１、複数の現像装置２ａ，２ｂ，２ｃ，２ｄ、複数の感光体ユニット１０ａ，１０ｂ，１０ｃ，１０ｄ、中間転写ベルト装置６及び定着装置７を備えている。感光体ユニット１０ａ〜１０ｄは、感光体ドラム３ａ〜３ｄと帯電器５ａ，５ｂ，５ｃ，５ｄとドラムクリーニング部４ａ，４ｂ，４ｃ，４ｄとを一体的に組み合わせたユニットとされている。
【００２３】
また、シート搬送系１０２は、シート供給部３０、シート搬送部４０及びシート排出部５０を備えている。
【００２４】
画像形成装置本体１１０は、画像形成装置本体１１０における内部の各構成部材を覆う外装部材１１１（具体的には外装カバー）を備えている。外装部材１１１（図１参照）は、画像形成装置本体１１０における内部の各構成部材に対して、正面側を覆う正面側外装部材１１１ａと、背面側を覆う背面側外装部材１１１ｂと、右側面側を覆う右側面側外装部材１１１ｃと、左側面側を覆う左側面側外装部材１１１ｄと、上面側を覆う上面側外装部材１１１ｅとを備えている。
【００２５】
なお、本実施の形態において、画像形成装置本体１１０の正面側は、感光体ユニット１０ａ〜１０ｄ及び現像装置２ａ〜２ｄを着脱する着脱側（操作側）とされている。
【００２６】
画像形成装置本体１１０の上部には、画像読取装置１２０が設けられている。画像読取装置１２０は、原稿Ｇ（図２参照）の画像を読み取るための画像読取部１２１と、原稿Ｇを搬送する原稿搬送部１２２と、原稿Ｇが載置される原稿載置台１２３（図２参照）とを備えている。
【００２７】
画像読取装置１２０は、原稿搬送部１２２で搬送される原稿Ｇを画像読取部１２１で読み取るか、或いは、原稿載置台１２３に載置された原稿Ｇを画像読取部１２１で読み取る。画像読取装置１２０で読み取られた原稿Ｇの画像は、画像データとして画像形成装置本体１１０に送られ、画像形成装置本体１１０において画像データに基づき形成された画像が記録シートＰに記録される。
【００２８】
画像形成装置１００において扱われる画像データは、複数色（ここではブラック、シアン、マゼンタ、イエローの各色）を用いたカラー画像に応じたものである。従って、現像装置２ａ〜２ｄ及び感光体ユニット１０ａ〜１０ｄは、各色に応じた複数種類（ここでは４種類）の画像を形成するようにそれぞれ複数個（ここでは４個ずつ設けられ、それぞれブラック、シアン、マゼンタ、イエロー）に設定され、これらによって複数（ここでは４つ）の画像ステーションが構成されている。
【００２９】
感光体ドラム３ａ〜３ｄは、ドラム軸が奥行き方向Ｙに沿うように配設され、現像装置２ａ〜２ｄは、現像ローラ軸が奥行き方向Ｙに沿うように配設されている。ここで、奥行き方向Ｙは、幅方向Ｘ及び上下方向Ｚの双方に直交する方向である。
【００３０】
中間転写ベルト装置６（図２参照）は、感光体ドラム３ａ〜３ｄの上方に配設されている。中間転写ベルト装置６は、中間転写体として作用する中間転写ベルト６１、中間転写ベルト駆動ローラ６２、中間転写ベルト従動ローラ６３、複数の中間転写ローラ６４ａ〜６４ｄ及び中間転写ベルトクリーニング装置６５を備えている。
【００３１】
中間転写ローラ６４ａ〜６４ｄは、ブラック、シアン、マゼンタ、イエローの各色に対応して４本設けられている。中間転写ベルト駆動ローラ６２は、中間転写ベルト従動ローラ６３及び中間転写ローラ６４ａ〜６４ｄと共に無端状の中間転写ベルト６１を張架し、回転駆動されることで、中間転写ベルト６１が所定の移動方向Ｍ（図２参照）に周回移動され、それに伴い中間転写ベルト従動ローラ６３及び中間転写ローラ６４ａ〜６４ｄが従動回転される。
【００３２】
画像形成装置本体１１０では、画像形成を行うにあたり、中間転写ベルト６１を移動方向Ｍに周回移動させつつ感光体ドラム３ａ〜３ｄを回転させ、帯電器５ａ〜５ｄにより感光体ドラム３ａ〜３ｄの表面を所定の電位に均一に帯電させ、露光装置１からの各色のトナー像に対応するレーザ光により感光体ドラム３ａ〜３ｄの表面を露光して、その表面に静電潜像を形成し、現像装置２ａ〜２ｄにより感光体ドラム３ａ〜３ｄの表面の静電潜像を現像して、感光体ドラム３ａ〜３ｄの表面にトナー像をそれぞれ形成する。これにより、各感光体ドラム３ａ〜３ｄの表面に複数色（この例では４色）のトナー像が形成される。その後、感光体ドラム３ａ〜３ｄの表面の残留トナーをドラムクリーニング部４ａ〜４ｄにより除去及び回収する。
【００３３】
引き続いて、中間転写ベルト装置６において、中間転写ベルト６１を移動方向Ｍに周回移動させつつ、転写バイアスが印加された中間転写ローラ６４ａ〜６４ｄにより各感光体ドラム３ａ〜３ｄの表面に形成された各色のトナー像を中間転写ベルト６１に順次転写して重ね合わせ、中間転写ベルト６１上にカラーのトナー像を形成する。これにより、中間転写ベルト６１表面にカラーのトナー像が形成される。その後、中間転写ベルト６１表面の残留トナーを中間転写ベルトクリーニング装置６５により除去及び回収する。なお、画像形成装置１００は、ドラムクリーニング部４ａ〜４ｄ及び中間転写ベルトクリーニング装置６５により除去及び回収された残留トナーが図示を省略した廃トナーカートリッジに収容されるようになっている。
【００３４】
一方、シート供給部３０では、給紙トレイ３１に積載された記録シートＰをシート供給ローラ３１ａ（図２参照）により給紙トレイ３１から引出して、シート搬送部４０におけるシート搬送経路４０ａ（図２参照）を通じて画像形成部１０１に搬送する。
【００３５】
シート搬送経路４０ａには、転写ローラ４１、各搬送ローラ４２、レジストローラ４３及び排出ローラ４４が設けられている。レジストローラ４３は、記録シートＰを一旦停止させて、記録シートＰの先端を揃えた後、中間転写ベルト６１と転写ローラ４１との間の転写ニップ域でのカラーのトナー像の転写タイミングに合わせて記録シートＰの搬送を開始する。すなわち、シート供給部３０からシート搬送部４０におけるシート搬送経路４０ａを通じて画像形成部１０１に搬送されてきた記録シートＰを中間転写ベルト６１と転写ローラ４１との間の転写ニップ域に挟み込んで搬送しつつ、転写バイアスが印加された転写ローラ４１により中間転写ベルト６１表面におけるカラーのトナー像を記録シートＰ上に転写する。
【００３６】
そして、定着装置７の加熱ローラ７１と加圧ローラ７２との間に記録シートＰを挟み込んで加熱及び加圧し、記録シートＰ上のカラーのトナー像を定着させ、さらに、シート排出部５０に向けて搬送し、排出ローラ４４を経てシート排出部５０における排出トレイ５１へ排出する。
【００３７】
また、記録シートＰの表面だけではなく、裏面の画像形成を行う場合は、定着装置７にて表面にトナー像が定着された記録シートＰを排出ローラ４４により反転経路４０ｂに向けて逆方向に搬送して、反転経路４０ｂにより記録シートＰの表裏を反転させ、記録シートＰをレジストローラ４３へ再度導き、記録シートＰの表面と同様にして、記録シートＰの裏面にトナー像を形成して定着し、記録シートＰをシート排出部５０における排出トレイ５１に排出する。
【００３８】
なお、図１に示す通風部１１２及び通風部１１２における開口部１１２ａについては、後ほど説明する。
【００３９】
［送風システムについて］
次に、本実施の形態に係る送風システム２００について図３から図２１を参照しながら以下に説明する。
【００４０】
（第１実施形態）
図３は、第１実施形態に係る送風システム２００の背面側を斜め下方から視た斜視図である。図４は、第１実施形態に係る送風システム２００の正面側を斜め下方から視た斜視図である。図５は、第１実施形態に係る送風システム２００の平面図である。図６は、第１実施形態に係る送風システム２００の底面図である。図７は、第１実施形態に係る送風システム２００の正面図である。図８は、第１実施形態に係る送風システム２００の背面図である。図９は、第１実施形態に係る送風システム２００の左側面図である。図１０は、第１実施形態に係る送風システム２００における送風装置２１０及び下流側ダクト２３０の第２ダクトカバー部材２３４を除去した状態の背面側を左側から視た斜視図である。図１１は、第１実施形態に係る送風システム２００の背面側を斜め上方から視た斜視図である。また、図１２は、送風装置２１０の内部構造を示す斜視図である。なお、図３から図１０では、送風システム２００が感光体ユニット１０ａ〜１０ｄにおける帯電器５ａ〜５ｄに設けられている状態を示している。
【００４１】
図３から図１１に示すように、画像形成装置１００は、本実施の形態に係る送風システム２００を備えている。送風システム２００は、この例では、画像形成装置本体１１０（具体的には感光体ユニット１０ａ〜１０ｄにおける帯電器５ａ〜５ｄ）に設けられている。
【００４２】
送風システム２００は、送風装置２１０（図３から図９、図１１及び図１２参照）と送風装置２１０により送られる空気Ｗを案内するダクトとして作用する下流側ダクト２３０（図３から図１１参照）とを備えている。
【００４３】
送風システム２００は、送風装置２１０及び下流側ダクト２３０により画像形成装置１００内の空気Ｗ（図３から図１１参照）を外部に排気するようになっている。本実施の形態では、送風システム２００は、感光体ユニット１０ａ〜１０ｄにおける帯電器５ａ〜５ｄの高電圧の印加により発生するオゾンを含む空気Ｗを外部に向けて移動させつつフィルター１１２ｂ（図４及び図１０参照）によりオゾンを除去し、オゾンを除去した空気Ｗを外部に排出する。
【００４４】
詳しくは、感光体ユニット１０ａ〜１０ｄにおける帯電器５ａ〜５ｄは、奥行き方向Ｙに延びた中空部材１３ａ〜１３ｄ（図３及び図６参照）を備えている。中空部材１３ａ〜１３ｄは、感光体ドラム３ａ〜３ｄに対向する部分に開口（図示せず）を有している。帯電器５ａ〜５ｄは、中空部材１３ａ〜１３ｄの内側に奥行き方向Ｙに沿って設けられた帯電電極（図示せず）を有しており、帯電電極に高電圧が印加されることより中空部材１３ａ〜１３ｄの開口を介して感光体ドラム３ａ〜３ｄの表面を帯電する。
【００４５】
中空部材１３ａ〜１３ｄは、奥行き方向Ｙにおける一方側（この例では正面側）の帯電電極よりも外側端部に設けられた吸気口１１ａ〜１１ｄ（図３から図６及び図１０参照）と、奥行き方向Ｙにおける他方側（背面側）の帯電電極よりも外側端部に設けられた排気口１２ａ〜１２ｄ（図３から図６参照）とを有し、吸気口１１ａ〜１１ｄ及び排気口１２ａ〜１２ｄを連通するようになっている。これにより、吸気口１１ａ〜１１ｄと排気口１２ａ〜１２ｄとの間で中空部材１３ａ〜１３ｄ内の空気Ｗ（すなわち帯電電極の周辺の空気）を流通させることができる。
【００４６】
具体的には、中空部材１３ａ〜１３ｄは、奥行き方向Ｙに延びた箱形部材とされている。吸気口１１ａ〜１１ｄ及び排気口１２ａ〜１２ｄは、中空部材１３ａ〜１３ｄの空気Ｗを囲む周方向の面のうち感光体ドラム３ａ〜３ｄに対向する開口が設けられた面とは異なる面（この例では開口が設けられた面とは反対側の面、下側の面）に設けられている。
【００４７】
送風システム２００は、帯電器５ａ〜５ｄにおける排気口１２ａ〜１２ｄに接続される吸気口２２１ａ〜２２１ｄ（図１１参照）と、下流側ダクト２３０における吸気口２３１（図１０参照）に接続される排気口２２２（図１０参照）とを有する上流側ダクト２２０（図３から図１１参照）をさらに備えている。
【００４８】
上流側ダクト２２０は、幅方向Ｘに沿って延びた中空部材とされている。上流側ダクト２２０は、帯電器５ａ〜５ｄにおける複数の排気口１２ａ〜１２ｄに対応する位置にそれぞれ設けられた複数の吸気口２２１ａ〜２２１ｄ（図１１参照）と、幅方向Ｘにおいて帯電器５ａ〜５ｄよりも外側端部（この例では正面から視て右側端部）に設けられた排気口２２２（図１０参照）とを有し、吸気口２２１ａ〜２２１ｄ及び排気口２２２を連通するようになっている。これにより、吸気口２２１ａ〜２２１ｄと排気口２２２との間で上流側ダクト２２０内の空気Ｗを流通させることができる。
【００４９】
具体的には、上流側ダクト２２０は、幅方向Ｘに延びた箱形部材とされている。吸気口２２１ａ〜２２１ｄは、上流側ダクト２２０の空気Ｗを囲む周方向の面のうち帯電器５ａ〜５ｄにおける排気口１２ａ〜１２ｄに対向する面（この例では上面）に幅方向Ｘに沿って並設されている（図１１参照）。また、排気口２２２は、上流側ダクト２２０の空気Ｗを囲む周方向の面のうち送風装置２１０における吸入口２１３ａに対向する面（この例では背面）に設けられている（図１０参照）。
【００５０】
送風装置２１０（図１２参照）は、駆動モータ２１１と、駆動モータ２１１の回転軸に固定されて駆動モータ２１１の回転軸の回転駆動により所定方向Ｖ（背面から視て時計回り）に回転される送風羽根２１２と、送風羽根２１２の回転により移動する空気Ｗを案内する送風ガイド部材２１３とを備えている。
【００５１】
送風ガイド部材２１３は、送風羽根２１２の空気Ｗの流入側で下流側ダクト２３０における吸気口２３１（図１０参照）に接続される吸入口２１３ａと、送風羽根２１２の空気Ｗの流出側で下流側ダクト２３０におけるダクト部２３２（図１０参照）に接続される吐出口２１３ｂとを有している。
【００５２】
具体的には、送風ガイド部材２１３は、２つの平板部２１３ｃ，２１３ｄと、２つの平板部２１３ｃ，２１３ｄに交差して２つの平板部２１３ｃ，２１３ｄに連接される側板部２１３ｅを備えている。吸入口２１３ａは、２つの平板部２１３ｃ，２１３ｄのうちの一方の平板部２１３ｃに設けられており、吐出口２１３ｂは、側板部２１３ｅにおける周方向の一部に設けられている。送風ガイド部材２１３は、側板部２１３ｅの奥行き方向Ｙ（厚み方向）におけるサイズ（送風ガイド部材２１３の厚み）が２つの平板部２１３ｃ，２１３ｄの幅方向Ｘ及び上下方向Ｚにおけるサイズがよりも小さくされている。
【００５３】
この例では、送風装置２１０は、シロッコ形ファン（遠心ファン）とされており、渦巻き状のスクロールケーシングを有している。送風ガイド部材２１３は、２つの平板部２１３ｃ，２１３ｄが正面視又は背面視で円形状とされ、２つの平板部２１３ｃ，２１３ｄの何れか一方の平板部２１３ｃの中央部に円形状の吸入口２１３ａが設けられている。送風ガイド部材２１３は、２つの平板部２１３ｃ，２１３ｄの円形状の一部から接線方向に延設した延設部２１３ｆを有しており、延設部２１３ｆに吐出口２１３ｂが設けられている。送風ガイド部材２１３のスクロールケーシングは、奥行き方向Ｙにおいて一方側及び他方側で２つに分割されている。送風羽根２１２は、奥行き方向Ｙにおいて互いに対向する円形状の枠体２１２ａ，２１２ａの外周部に軸方向に沿った長尺な多数の羽根部２１２ｂ〜２１２ｂを円周方向に沿って列設した前向き羽根とされている。
【００５４】
下流側ダクト２３０は、上流側ダクト２２０における排気口２２２に接続される吸気口２３１（図１０参照）と、吸気口２３１からの空気Ｗを外部に向けて案内するダクト部２３２（図１０参照）とを有する中空部材とされている。下流側ダクト２３０については、後ほど詳しく説明する。
【００５５】
本実施の形態において、画像形成装置１００は、送風装置２１０により送られる空気Ｗの送風方向における下流側ダクト２３０の下流側（下流側ダクト２３０の下流側の近傍、具体的には、下流側ダクト２３０に近接した位置（所定距離離れた位置）又は接触する位置に）、送風装置２１０により送られる空気Ｗが衝突及び通過する通風部１１２（図１、図４から図８及び図１０参照）が設けられている。ここで、送風装置２１０により送られる空気Ｗの送風方向とは、送風装置２１０により送られて下流側ダクト２３０により案内される空気Ｗが通風部１１２に向けて全体として移動する全体的な移動方向を意味する。つまり、空気Ｗの送風方向は、送風装置２１０により送られる空気Ｗを下流側ダクト２３０が全体として導く方向をいう。
【００５６】
詳しくは、通風部１１２は、送風装置２１０により送られる空気Ｗが衝突する被衝突部と、該被衝突部に隣接して送風装置２１０により送られる空気Ｗが通過する通過部とで構成されている。画像形成装置１００は、画像形成装置本体１１０（具体的には感光体ユニット１０ａ〜１０ｄにおける帯電器５ａ〜５ｄ）内の空気Ｗを送風装置２１０から下流側ダクト２３０を経て画像形成装置本体１１０の通風部１１２を介して外部に排気するようになっている。
【００５７】
具体的には、画像形成装置本体１１０の外装部材（この例では右側面側外装部材１１１ｃ）の下流側ダクト２３０におけるダクト部２３２（図１０参照）の出口部に対応する位置には、画像形成装置１００内の空気Ｗを外部に排気する開口１１２ａ１（図１参照）を有する開口部１１２ａが設けられている。この例では、開口部１１２ａの内側には、フィルター１１２ｂ（図４及び図１０参照）が設けられている。ここで、送風装置２１０により送られる空気Ｗは、先にフィルター１１２ｂに衝突して通過し、フィルター１１２ｂを通過した空気Ｗは、開口部１１２ａに衝突して通過する。すなわち、通風部１１２は、開口部１１２ａ及び開口部１１２ａの内側に設けられたフィルター１１２ｂ（特に、空気Ｗが先に衝突して通過するフィルター１１２ｂ）とされている。フィルター１１２ｂは、下流側ダクト２３０におけるダクト部２３２に装着されている。この例では、フィルター１１２ｂは、オゾンを除去するオゾンフィルターとされている。
【００５８】
［下流側ダクトについて］
次に、下流側ダクト２３０について図１から図１２に加えて図１３から図１７を参照しながら以下に説明する。
【００５９】
−変位部について−
図１３は、第１実施形態に係る送風システム２００における下流側ダクト２３０及び送風装置２１０の背面側を斜め上方から視た斜視図である。図１４は、第１実施形態に係る送風システム２００における下流側ダクト２３０及び送風装置２１０の背面側を斜め下方から視た斜視図である。図１５は、第１実施形態に係る送風システム２００における下流側ダクト２３０及び送風装置２１０の背面図である。図１６は、第１実施形態に係る送風システム２００における第２ダクトカバー部材２３４の裏側を示す斜視図である。また、図１７は、第１実施形態に係る送風システム２００における下流側ダクト２３０部分の図１５に示すＡ−Ａ線に沿った概略断面図である。
【００６０】
下流側ダクト２３０は、送風装置２１０により送られる空気Ｗが送風方向に直交又は略直交する側に向かうように、送風装置２１０と通風部１１２との間の内壁面２３４ａ（図１６及び図１７参照）の一部を送風方向に直交又は略直交する側に向けて変位させた変位部２３５（図３、図５、図６、図８、図９、図１１、図１３から図１６及び図１７参照）を有している。
【００６１】
変位部２３５は、下流側ダクト２３０の空気Ｗを囲む周方向において、１箇所又は複数箇所に設けられていてもよいし、全周に亘って設けられていてもよい。この例では、変位部２３５は、下流側ダクト２３０の空気Ｗを囲む周方向の１箇所に設けられている。
【００６２】
本実施の形態では、変位部２３５は、内壁面２３４ａの一部を凹状に変位させた変位凹部とされており、空気Ｗの通路から退避している。下流側ダクト２３０は、送風装置２１０と通風部１１２との間に直線状の部分である直線状ダクト部α（図１７参照）を有しており、変位部２３５は、直線状ダクト部αに設けられている。また、変位凹部とされた変位部２３５は、少なくとも通風部１１２側の壁面２３５ａ（２３５ａ１）が空気Ｗの送風方向に対して直交又は略直交している。詳しくは、変位部２３５は、複数の壁面２３５ａ〜２３５ａ（図１６及び図１７参照）及び底面２３５ｂ（図１６及び図１７参照）を有する変位凹部とされており、複数の壁面２３５ａ〜２３５ａのうちの少なくとも通風部１１２側の壁面２３５ａ（２３５ａ１）（通風部１１２側の交差ダクト部２３５１の壁面２３５ａ１）は、空気Ｗの送風方向に対して直交又は略直交している。この例では、変位部２３５における全ての壁面２３５ａ〜２３５ａは、空気Ｗの送風方向に対して直交又は略直交している。
【００６３】
本実施の形態では、変位部２３５は、空気Ｗの下流側ダクト２３０の奥行き方向Ｙにおける両側のうちの片側の送風装置２１０と通風部１１２との間の送風方向における略全域に亘って設けられている。変位部２３５は、下流側ダクト２３０の奥行き方向Ｙにおける両側のうちの片側の送風装置２１０と通風部１１２との間の上下方向Ｚにおける略全域に亘って設けられている。
【００６４】
本実施の形態では、通風部１１２は、送風装置２１０により送られる空気Ｗを流入する空気流入面１１２ｂ１（この例では、フィルター１１２ｂの空気流入面１１２ｂ１、図１０及び図１７参照）を有しており、下流側ダクト２３０及び送風装置２１０は、空気Ｗの送風方向が通風部１１２の空気流入面１１２ｂ１に対して傾斜するように、詳しくは、変位部２３５が変位する変位方向（この例では奥行き方向Ｙ）とは異なる非変位方向（この例では奥行き方向Ｙに直交又は略直交する方向）において空気Ｗの送風方向が通風部１１２の空気流入面１１２ｂ１に対して傾斜するように構成されている。ここで、奥行き方向Ｙに直交又は略直交する方向とは、幅方向Ｘ及び上下方向Ｚに沿った仮想平面に平行又は略平行な方向を意味する。通風部１１２の空気流入面１１２ｂ１は、この例では、幅方向Ｘに直交又は略直交する面とされている。
【００６５】
具体的には、下流側ダクト２３０は、上下方向Ｚのサイズが送風装置２１０からの空気Ｗの送風方向における下流側に行くに従って大きくなっている。
【００６６】
下流側ダクト２３０は、上流側ダクト２２０に臨む第１ダクトカバー部材２３３（図３から図１１、図１３から図１５及び図１７参照）と、第１ダクトカバー部材２３３と組み合わされる第２ダクトカバー部材２３４（図３から図６、図８から図９、図１１、図１３から図１７参照）とを備えている。第１ダクトカバー部材２３３は、下流側ダクト２３０の奥行き方向Ｙにおける一方側（正面側）部分を構成し、第２ダクトカバー部材２３４は、下流側ダクト２３０の奥行き方向Ｙにおける他方側（背面側）部分を構成している。第２ダクトカバー部材２３４は、第１ダクトカバー部材２３３に装着されるようになっている。下流側ダクト２３０は、第１ダクトカバー部材２３３に第２ダクトカバー部材２３４が装着されることで、ダクト部２３２（図１０、図１６及び図１７参照）を構成している。
【００６７】
第１ダクトカバー部材２３３は、吸気口２３１（図１０参照）を上流側ダクト２２０における排気口２２２（図１０参照）に接続させた状態で画像形成装置本体１１０のフレームＦＬ（図５及び図６参照）にビス等の固定部材により固定されている。
【００６８】
第１ダクトカバー部材２３３は、送風装置２１０を配設する送風装置配設部２３３ａ（図１０参照）と、第２ダクトカバー部材２３４が装着されることでダクト部２３２を構成するダクト構成部２３３ｂ（図１０参照）とを有している。
【００６９】
第１ダクトカバー部材２３３において、送風装置配設部２３３ａ及びダクト構成部２３３ｂは、ダクト部２３２を流れる空気Ｗの送風方向に沿った仮想直線β（図１０参照）が通風部１１２の空気流入面１１２ｂ１の仮想垂線γ（図１０参照）と交差するように（この例では送風装置配設部２３３ａが下側、ダクト構成部２３３ｂが上側の位置するように）設けられており、送風装置２１０からの空気Ｗが空気流入面１１２ｂ１に対して斜めから（この例では斜め下から）当たるようになっている。
【００７０】
第１ダクトカバー部材２３３は、奥行き方向Ｙに直交又は略直交する方向に沿ったベース板２３３１（図１０参照）と、ベース板２３３１の外周部の一部において送風装置２１０が設けられる側に立設して第２ダクトカバー部材２３４を支持する支持板２３３２，２３３２（図１０参照）とを備えている。支持板２３３２，２３３２は、ダクト構成部２３３ｂに設けられている。支持板２３３２，２３３２は、仮想直線βに沿った傾斜部分を有し、送風装置２１０からの空気Ｗをベース板２３３１のダクト構成部２３３ｂ及び第２ダクトカバー部材２３４と共に通風部１１２に向けて案内する案内部としての機能も有している。第１ダクトカバー部材２３３における送風装置配設部２３３ａには、送風装置２１０における吸入口２１３ａ（図１２参照）を収める円形状の凹み２３３３（図１０参照）が設けられており、凹み２３３３の底面の中心部に吸気口２３１が設けられている。
【００７１】
そして、第１ダクトカバー部材２３３は、送風装置配設部２３３ａの凹み２３３３が送風装置２１０の吸入口２１３ａ（図１２参照）を収容し、かつ、支持板２３３２，２３３２が送風装置２１０の延設部２１３ｆ（図１２参照）を挟持した状態で送風装置２１０をビス等の固定部材により固定して支持している。
【００７２】
第２ダクトカバー部材２３４は、第１ダクトカバー部材２３３のダクト構成部２３３ｂと共に送風装置２１０からの空気Ｗを通風部１１２に向けて案内するようになっている。
【００７３】
変位部２３５は、第２ダクトカバー部材２３４に設けられている。変位部２３５は、第２ダクトカバー部材２３４の形状を変更して形成したものである。
【００７４】
第２ダクトカバー部材２３４における変位部２３５は、奥行き方向Ｙに直交又は略直交する内壁面２３４ａが送風装置２１０からの空気Ｗの送風方向に直交又は略直交する方向（この例では奥行き方向Ｙの他方側（背面側））に窪んだ形状とされている。すなわち、変位部２３５は、第２ダクトカバー部材２３４の内壁面２３４ａに対して直交又は略直交する壁面２３５ａ〜２３５ａ（図１６及び図１７参照）と、壁面２３５ａ〜２３５ａに連接して壁面２３５ａ〜２３５ａに直交又は略直交する（第２ダクトカバー部材２３４の内壁面２３４ａに平行又は略平行な）底面２３５ｂ（図１６及び図１７参照）とを有している。
【００７５】
第２ダクトカバー部材２３４は、奥行き方向Ｙに直交又は略直交する方向に沿った第１ガイド部２３４１（図１６参照）と、第１ガイド部２３４１の外周部の一部において第１ガイド部２３４１から第１ダクトカバー部材２３３側に屈曲した第２ガイド部２３４２，２３４２（図１６及び図１７参照）とを備えている。変位部２３５は、第１ガイド部２３４１に設けられている。第２ガイド部２３４２，２３４２は、仮想直線β（図１０参照）に沿った傾斜部分を有している。第２ガイド部２３４２，２３４２は、第１ダクトカバー部材２３３における支持板２３３２，２３３２の外側に装着される装着部としての機能も有している。第２ダクトカバー部材２３４は、第１ダクトカバー部材２３３に対して凹凸係合により固定されている。この例では、第２ダクトカバー部材２３４の外周面には複数の係合突起部２３４ｂ〜２３４ｂ（図３、図５、図６、図８、図９、図１１及び図１３〜図１６参照）が形成されている。第１ダクトカバー部材２３３の第２ダクトカバー部材２３４に対応する周縁部には複数の係合突起部２３４ｂ〜２３４ｂをそれぞれ係止する複数の係止孔部２３３ｃ〜２３３ｃ（図３、図５、図６、図８から図１１及び図１３〜図１５参照）が形成されている。第２ダクトカバー部材２３４は、複数の係合突起部２３４ｂ〜２３４ｂが第１ダクトカバー部材２３３における複数の係止孔部２３３ｃ〜２３３ｃに嵌入されることにより、第１ダクトカバー部材２３３に固定されている。
【００７６】
下流側ダクト２３０には、フィルター１１２ｂを装着するフィルター装着部２３２ａ（図３から図８、図１０、図１１及び図１３〜図１７参照）が設けられている。フィルター装着部２３２ａは、下流側ダクト２３０におけるダクト部２３２の出口部に設けられている。フィルター装着部２３２ａの内側の形状は、フィルター１１２ｂの周方向における外形状と同等の形状とされている。フィルター装着部２３２ａの内側の形状のサイズは、フィルター１１２ｂの周方向における外形状のサイズよりも若干大きいサイズ（フィルター１１２ｂをダクト部２３２の出口部側から装着したときにフィルター１１２ｂがスムーズに装着できる程度に所定サイズだけ大きいサイズ）とされている。また、ダクト部２３２には、フィルター１１２ｂの装着方向（空気Ｗの送風方向とは反対方向）への移動を規制する規制部２３２ｂ（図１０及び図１６参照）が設けられている。この例では、規制部２３２ｂは、ダクト部２３２に対して周方向に沿って設けられた複数の規制突起部とされている。規制部２３２ｂは、第１ダクトカバー部材２３３及び第２ダクトカバー部材２３４の双方に設けられている。
【００７７】
通風部１１２を構成する開口部１１２ａ（図１７参照）は、送風装置２１０により送られる空気Ｗが衝突する外装カバー部１１２ａ２を有している。外装カバー部１１２ａ２には、１又は複数（この例では複数）の開口１１２ａ１〜１１２ａ１（この例では奥行き方向Ｙに延びたスリット）が設けられている。送風装置２１０により送られる空気Ｗは、外装カバー部１１２ａ２に衝突して外装カバー部１１２ａ２に設けられた開口１１２ａ１を通過する。
【００７８】
通風部１１２を構成するフィルター１１２ｂは、多面体形状とされている。この例では、フィルター１１２ｂは、６面体形状とされており、具体的には、上下方向Ｚに延びた直方体形状とされている。フィルター１１２ｂは、幅方向Ｘのサイズが奥行き方向Ｙのサイズよりも小さくなっている。
【００７９】
図１８は、下流側ダクト２３０に設けられるフィルター１１２ｂを空気流入面１１２ｂ１側から視た斜視図である。なお、図１８では、内部構造を誇張して示しており、実際には、内部構造は微細な構造となっている。
【００８０】
図１８に示すように、フィルター１１２ｂは、この例では、送風装置２１０により送られる空気Ｗが衝突する波状シート１１２ｂ２及び平面シート１１２ｂ３，１１２ｂ３を有している。波状シート１１２ｂ２（例えば活性炭担持シート）は、上下方向Ｚに波打った波形に形成されている。平面シート１１２ｂ３，１１２ｂ３は、奥行き方向Ｙに直交又は略直交する平坦なシートとされている。フィルター１１２ｂは、波状シート１１２ｂ２を奥行き方向Ｙの両側から平面シート１１２ｂ３，１１２ｂ３で挟持した構造のものとされている。送風装置２１０により送られる空気Ｗは、波状シート１１２ｂ２及び平面シート１１２ｂ３，１１２ｂ３に衝突して波状シート１１２ｂ２と平面シート１１２ｂ３，１１２ｂ３との間に形成される隙間１１２ｂ４を通過する。
【００８１】
なお、フィルター１１２ｂにおける波状シート１１２ｂ２は、この例では、上下方向Ｚに波打っているが、奥行き方向Ｙに波打っていてもよい。この場合、奥行き方向Ｙに波打った波状シート１１２ｂ２は、平面シート１１２ｂ３，１１２ｂ３で上下方向Ｚの両側から挟持される。
【００８２】
−表面積低減部について−
下流側ダクト２３０の外表面２３０ａの少なくとも一部には、連続する面の表面積を小さくするための表面積低減部２３６（図３から図９、図１１及び図１３から図１７参照）が設けられている。ここで、「連続する面」とは、巨視的に視て凹凸する部分や屈曲する部分がない或いは殆どない面を意味し、例えば、連続する面として、平面や球面、湾曲面等を挙げることができる。この例では、連続する面は、平面とされている。
【００８３】
本実施の形態では、下流側ダクト２３０は、送風装置２１０により送られる空気Ｗの送風方向と交差（この例では直交又は略直交）する方向に沿った交差ダクト部２３５１（図１６及び図１７参照）を有している。交差ダクト部２３５１は、壁面２３５ａ（２３５ａ１）が送風装置２１０により送られる空気Ｗが衝突する側に向いている。表面積低減部２３６は、壁面２３５ａ（２３５ａ１）が送風装置２１０により送られる空気Ｗが衝突する側に向いている交差ダクト部２３５１に少なくとも設けられている。
【００８４】
本実施の形態では、表面積低減部２３６は、下流側ダクト２３０の外表面２３０ａの少なくとも一部に対して凸状に一体形成されている。表面積低減部２３６は、下流側ダクト２３０の外表面２３０ａの少なくとも一部を区画する区画部とされている。表面積低減部２３６は、格子状の部分を有している。
【００８５】
具体的には、表面積低減部２３６は、第２ダクトカバー部材２３４の外表面２３０ａにおいて全体的に設けられている。第２ダクトカバー部材２３４は、厚みが１．５ｍｍ程度のものとされている。表面積低減部２３６は、高さが０．５ｍｍ〜１ｍｍ程度、幅が０．５ｍｍ〜１ｍｍ程度のものとされている。また、表面積低減部２３６は、格子状の部分の縦横のサイズが５ｍｍ〜８ｍｍ程度のものとされている。
【００８６】
ここで、第２ダクトカバー部材２３４及び表面積低減部２３６は、金型により形成されたものであり、金型の抜き方向は、この例では、奥行き方向Ｙに沿った方向とされている。従って、第２ダクトカバー部材２３４の外表面２３０ａのうち奥行き方向Ｙに沿った外表面２３０ａに設けられている表面積低減部２３６は、奥行き方向Ｙに沿った直線状の形状とされている。
【００８７】
（第２実施形態）
−下流側ダクトのリブについて−
図１９は、第２実施形態に係る送風システム２００における送風装置２１０及び下流側ダクト２３０の第２ダクトカバー部材２３４を除去した状態の背面側を左側から視た斜視図である。図２０は、第２実施形態に係る送風システム２００における下流側ダクト２３０の第２ダクトカバー部材２３４及びフィルター１１２ｂを除去した状態の背面側を若干斜め上方から視た斜視図である。なお、図１９では、送風システム２００が感光体ユニット１０ａ〜１０ｄにおける帯電器５ａ〜５ｄに設けられている状態を示している。
【００８８】
図１９及び図２０に示すように、下流側ダクト２３０の内表面には、送風装置２１０により送られる空気Ｗを送風方向とは異なる偏向方向、詳しくは変位部２３５が変位する変位方向（この例では奥行き方向Ｙ）とは異なる非変位方向（この例では奥行き方向Ｙに直交又は略直交する方向）であって送風方向と交差する交差方向に偏向させるリブとして作用する偏向リブ２３３ｄが設けられている。偏向リブ２３３ｄは、偏向方向（詳しくは交差方向）に沿った板状のものとされており、上下方向Ｚに沿って１つ又は複数（この例では４つ）並設されている。
【００８９】
偏向リブ２３３ｄ〜２３３ｄは、変位部２３５が設けられた部分以外の部分に設けられている。詳しくは、下流側ダクト２３０の空気Ｗを囲む複数の壁面のうちの少なくとも１つの壁面、具体的には、変位部２３５が設けられた壁面以外の少なくとも１つの壁面（この例では、第１ダクトカバー部材２３３の内壁面２３３ｆ）に立設（この例では直角又は略直角に立設）されている。偏向リブ２３３ｄ〜２３３ｄは、第１ダクトカバー部材２３３に一体形成されている。
【００９０】
また、下流側ダクト２３０の内表面には、送風装置２１０により送られる空気Ｗを送風方向に沿って案内する案内リブ２３３ｅが送風方向において偏向リブ２３３ｄよりも上流側に設けられている。案内リブ２３３ｅは、空気Ｗの送風方向に沿った板状のものとされており、上下方向Ｚに沿って１つ又は複数（この例では２つ）並設されている。
【００９１】
案内リブ２３３ｅ〜２３３ｅは、変位部２３５が設けられた部分以外の部分に設けられている。詳しくは、下流側ダクト２３０の空気Ｗを囲む複数の壁面のうちの少なくとも１つの壁面、具体的には、変位部２３５が設けられた壁面以外の少なくとも１つの壁面（この例では、第１ダクトカバー部材２３３の内壁面２３３ｆ）に立設（この例では直角又は略直角に立設）されている。案内リブ２３３ｅ〜２３３ｅは、第１ダクトカバー部材２３３に一体形成されている。案内リブ２３３ｅ〜２３３ｅの少なくとも１つ（この例では最上部の案内リブ２３３ｅ）は、偏向リブ２３３ｄ〜２３３ｄの少なくとも１つ（この例では最下部の偏向リブ２３３ｄ）に連結されている。
【００９２】
（第３実施形態）
−変位部について−
本実施の形態では、変位部２３５は、内壁面２３４ａの一部を凹状に変位させた変位凹部とされているが、それに限定されるものではなく、それに加えて或いは代えて、内壁面２３４ａの一部を凸状に変位させた変位凸部とされていてもよい。
【００９３】
図２１は、下流側ダクト２３０において変位部２３５が内壁面２３４ａの一部を凸状に変位させた変位凸部とされている例を示す概略断面図である。
【００９４】
変位部２３５は、内壁面２３４ａの一部を凸状に変位させた変位凸部とされており、空気Ｗの通路を遮っている。変位凸部とされた変位部２３５は、少なくとも通風部１１２側とは反対側の壁面２３５ｃ（２３５ｃ１）が空気Ｗの送風方向に対して直交又は略直交している。詳しくは、変位部２３５は、複数の壁面２３５ｃ〜２３５ｃ及び頂面２３５ｄを有する変位凸部とされており、複数の壁面２３５ｃ〜２３５ｃのうちの少なくとも通風部１１２側とは反対側の壁面２３５ｃ（２３５ｃ１）（通風部１１２側とは反対側の交差ダクト部２３５１の壁面２３５ｃ１）は、空気Ｗの送風方向に対して直交又は略直交している。この例では、変位部２３５における全ての壁面２３５ｃ〜２３５ｃは、空気Ｗの送風方向に対して直交又は略直交している。
【００９５】
第２ダクトカバー部材２３４は、第１ダクトカバー部材２３３のダクト構成部２３３ｂと共に送風装置２１０からの空気Ｗを通風部１１２に向けて案内するようになっている。
【００９６】
変位部２３５は、第２ダクトカバー部材２３４に設けられている。変位部２３５は、第２ダクトカバー部材２３４の形状を変更して形成したものである。
【００９７】
第２ダクトカバー部材２３４における変位部２３５は、奥行き方向Ｙに直交又は略直交する内壁面２３４ａが送風装置２１０からの空気Ｗの送風方向に直交又は略直交する方向（この例では奥行き方向Ｙの一方側（正面側））に突出した形状とされている。すなわち、変位部２３５は、第２ダクトカバー部材２３４の内壁面２３４ａに対して直交又は略直交する壁面２３５ｃ〜２３５ｃと、壁面２３５ｃ〜２３５ｃに連接して壁面２３５ｃ〜２３５ｃに直交又は略直交する（第２ダクトカバー部材２３４の内壁面２３４ａに平行又は略平行な）頂面２３５ｄとを有している。
【００９８】
変位凸部とされる変位部２３５は、変位凹部とされる場合と同様の構成とすることができる。
【００９９】
（第４実施形態）
−表面積低減部について−
本実施の形態では、表面積低減部２３６は、下流側ダクト２３０の外表面２３０ａの少なくとも一部に設けられているが、それに限定されるものではなく、それに加えて或いは代えて、下流側ダクト２３０の内表面２３０ｂ（図１０及び図１６参照）の少なくとも一部に設けられていてもよい。例えば、表面積低減部２３６は、第２ダクトカバー部材２３４の内表面２３０ｂにおいて全体的に設けられていてもよい。
【０１００】
下流側ダクト２３０の内表面２３０ｂの少なくとも一部に設けられる表面積低減部２３６は、下流側ダクト２３０の外表面２３０ａの少なくとも一部に設けられる場合と同様の構成とすることができる。
【０１０１】
（第５実施形態）
−送風システムについて−
本実施の形態では、送風システム２００は、感光体ユニット１０ａ〜１０ｄにおける帯電器５ａ〜５ｄに適用したオゾン除去システムを構成しているが、それに限定されるものではなく、定着装置７や各種電装部材等の発熱部を空冷する空冷システムを構成していてもよい。また、送風システム２００を画像形成装置本体１１０に適用したが、それに限定されるものではなく、例えば、画像形成装置を構成する装置、具体的には、画像読取装置や、給紙デスク、大容量給紙トレイ、オプションの処理ユニットを含む各種の処理ユニットに適用してもよい。
【０１０２】
（第６実施形態）
−フィルターについて−
本実施の形態では、通風部１１２は、フィルター１１２ｂが存在している構成であるが、フィルター１１２ｂが存在していない構成であってもよい。この場合、送風装置２１０により送られる空気Ｗは、開口部１１２ａに衝突して通過する。また、フィルター１１２ｂとして、オゾンフィルターに加えて、或いは、送風システム２００がオゾン除去システムを構成しない場合、オゾンフィルターに代えて、例えば、埃やトナー等の微粒子を除去する浄化フィルターを用いてもよい。
【０１０３】
（第７実施形態）
−送風装置について−
本実施の形態では、送風装置２１０は、シロッコ形ファンとされているが、それに限定されるものではなく、使用条件や用途に応じて、プロペラ形ファン（軸流ファンや斜流ファン）、クロスフロー形ファン（横流ファン）を用いてもよい。
【０１０４】
［本実施の形態について］
本実施の形態に係る送風システム２００では、送風装置２１０により送られる空気Ｗを画像形成装置１００の外部に排気するにあたり、送風装置２１０を駆動する。そうすると、送風装置２１０により送風対象部材（この例では感光体ユニット１０ａ〜１０ｄにおける帯電器５ａ〜５ｄ）から空気Ｗを吸引し、吸引した空気Ｗを本実施の形態に係るダクトとして作用する下流側ダクト２３０により案内して画像形成装置１００の通風部１１２を介して外部に排気する。具体的には、帯電器５ａ〜５ｄの排気口１２ａ〜１２ｄから上流側ダクト２２０の吸気口２２１ａ〜２２１ｄを経て吸引した空気Ｗを上流側ダクト２２０で合流させ、上流側ダクト２２０の排気口２２２、送風装置２１０の吸入口２１３ａ及び吐出口２１３ｂを経てダクト部２３２により案内して、通風部１１２を構成するフィルター１１２ｂ及び開口部１１２ａを介して外部に排気する。
【０１０５】
このとき、従来の構成では、送風装置により送られる空気が通風部を通過する際に風切り音の発生を招く。
【０１０６】
この点、本実施の形態によれば、下流側ダクト２３０は、送風装置２１０により送られる空気Ｗが送風方向に直交又は略直交する側に向かうように、送風装置２１０と通風部１１２との間の内壁面２３４ａの一部を送風方向に直交又は略直交する側に向けて変位させた変位部２３５を有していることで、送風装置２１０により送られる空気Ｗを変位部２３５において一旦送風方向に直交又は略直交する側に向かわせることができ、ひいては、変位部２３５において空気Ｗの流れを変化させて送風装置２１０により送られる空気Ｗの通風部１１２への衝突角度を変化させることができ、特に、空気Ｗの送風方向を通風部１１２の空気流入面１１２ｂ１に対して傾斜させることができ、これにより、送風装置２１０により送られる空気Ｗが通風部１１２を通過する際の風切り音の発生を抑制することが可能となる。
【０１０７】
ところで、第３実施形態を含む本実施の形態のように、変位部２３５は、内壁面２３４ａの一部を凸状に変位させた変位凸部とされていてもよいが、この場合、送風装置２１０により送られる空気Ｗを変位凸部とされた変位部２３５で遮ることになり、送風装置２１０の送風効率が悪化し易い。
【０１０８】
この点、第３実施形態を除く本実施の形態では、変位部２３５は、内壁面２３４ａの一部を凹状に変位させた変位凹部とされていることで、送風装置２１０により送られる空気Ｗを、変位凹部とされた変位部２３５で遮ることなく、空気Ｗの送風方向に直交又は略直交する側に向かわせることができ、送風装置２１０の送風効率を維持しつつ送風装置２１０により送られる空気Ｗが通風部１１２を通過する際の風切り音の発生を抑制することができる。
【０１０９】
ところで、本実施の形態のように、送風装置２１０と通風部１１２との間に直線状の部分（直線状ダクト部α）を有している場合、送風装置２１０により送られる空気Ｗが直線状の部分（直線状ダクト部α）に沿ってそのまま通風部に衝突することになり、送風装置２１０により送られる空気Ｗが通風部１１２を通過する際の風切り音が発生し易い。
【０１１０】
この点、本実施の形態のように、送風装置２１０と通風部１１２との間に直線状の部分（直線状ダクト部α）を有していても、直線状の部分（直線状ダクト部α）に変位部２３５を設けることで、送風装置２１０により送られる空気Ｗが直線状の部分（直線状ダクト部α）に沿ってそのまま通風部１１２に衝突することを効果的に防止することができ、それだけ、送風装置２１０により送られる空気Ｗが通風部１１２を通過する際の風切り音の発生を抑制することができる。
【０１１１】
ところで、第３実施形態を除く本実施の形態のように、変位部２３５は、変位凹部とされている場合、送風装置２１０により送られる空気Ｗの通風部１１２への衝突角度を変化させるのに影響し易い壁面は、通風部１１２側の壁面２３５ａ（２３５ａ１）である。
【０１１２】
この点、第３実施形態を除く本実施の形態では、変位凹部とされた変位部２３５は、少なくとも通風部１１２側の壁面２３５ａ（２３５ａ１）が空気Ｗの送風方向に対して直交又は略直交していることで、送風装置２１０により送られる空気Ｗの通風部１１２への衝突角度を変化させ易くすることができ、それだけ、送風装置２１０により送られる空気Ｗが通風部１１２を通過する際の風切り音の発生を抑制することができる。しかも、通風部１１２側の壁面２３５ａ（２３５ａ１）が空気Ｗの送風方向に対して直交又は略直交していることで、下流側ダクト２３０の送風方向におけるサイズを小さくでき、それだけ下流側ダクト２３０の小型化を実現させることができる。
【０１１３】
また、第３実施形態を含む本実施の形態のように、変位部２３５は、変位凸部とされている場合、送風装置２１０により送られる空気Ｗの通風部１１２への衝突角度を変化させるのに影響し易い壁面は、通風部１１２側とは反対側の壁面２３５ｃ（２３５ｃ１）である。
【０１１４】
この点、第３実施形態を含む本実施の形態では、変位凸部とされた変位部２３５は、少なくとも通風部１１２側とは反対側の壁面２３５ｃ（２３５ｃ１）が空気Ｗの送風方向に対して直交又は略直交していることで、送風装置２１０により送られる空気Ｗの通風部１１２への衝突角度を変化させ易くすることができ、それだけ、送風装置２１０により送られる空気Ｗが通風部１１２を通過する際の風切り音の発生を抑制することができる。しかも、通風部１１２側の壁面２３５ｃ（２３５ｃ１）が空気Ｗの送風方向に対して直交又は略直交していることで、下流側ダクト２３０の送風方向におけるサイズを小さくでき、それだけ下流側ダクト２３０の小型化を実現させることができる。
【０１１５】
本実施の形態のように、通風部１１２は、フィルター１１２ｂ及び／又は開口部１１２ａである場合に、本実施の形態に係る送風システム２００を好適に用いることができる。
【０１１６】
ところで、下流側ダクト２３０及び送風装置２１０は、空気Ｗの送風方向が通風部１１２の空気流入面１１２ｂ１に対して直交又は略直交するように構成されていると、送風装置２１０により送られる空気Ｗが通風部１１２を通過する際に風切り音が発生し易い。
【０１１７】
この点、本実施の形態では、下流側ダクト２３０及び送風装置２１０は、変位部２３５が変位する変位方向とは異なる非変位方向において空気Ｗの送風方向が通風部１１２の空気流入面１１２ｂ１に対して傾斜するように構成されていることで、送風方向を通風部１１２の空気流入面１１２ｂ１に対して傾斜させることができ、これにより、送風装置２１０により送られる空気Ｗが通風部１１２を通過する際の風切り音の発生を抑制することができる。
【０１１８】
第２実施形態を含む本実施の形態では、下流側ダクト２３０の内表面には、送風装置２１０により送られる空気Ｗを変位部２３５が変位する変位方向とは異なる非変位方向であって空気Ｗの送風方向と交差する交差方向に偏向させるリブとして作用する偏向リブ２３３ｄが設けられていることで、送風装置２１０により送られる空気Ｗを偏向リブ２３３ｄにより交差方向に向かわせることができ、ひいては、偏向リブ２３３ｄにより空気Ｗの流れをさらに変化させて送風装置２１０により送られる空気Ｗの通風部１１２への衝突角度をさらに変化させることができ、これにより、送風装置２１０により送られる空気Ｗが通風部１１２を通過する際の風切り音の発生をさらに抑制することが可能となる。
【０１１９】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１２０】
５ａ〜５ｄ      帯電器
１０ａ〜１０ｄ  感光体ユニット
１１ａ〜１１ｄ  吸気口
１２ａ〜１２ｄ  排気口
１３ａ〜１２ｄ  中空部材
１００          画像形成装置
１１０          画像形成装置本体
１１１          外装部材
１１１ａ        正面側外装部材
１１１ｂ        背面側外装部材
１１１ｃ        右側面側外装部材
１１１ｄ        左側面側外装部材
１１１ｅ        上面側外装部材
１１２          通風部
１１２ａ        開口部
１１２ｂ        フィルター
１１２ｂ１      空気流入面
２００          送風システム
２１０          送風装置
２１１          駆動モータ
２１２          送風羽根
２１３ａ        吸入口
２１３ｂ        吐出口
２２０          上流側ダクト
２２１ａ        吸気口
２２２          排気口
２３０          下流側ダクト（ダクトの一例）
２３０ａ        外表面
２３０ｂ        内表面
２３１          吸気口
２３２          ダクト部
２３２ａ        フィルター装着部
２３２ｂ        規制部
２３３          第１ダクトカバー部材
２３３１        ベース板
２３３２        支持板
２３３３        凹み
２３３ａ        送風装置配設部
２３３ｂ        ダクト構成部
２３３ｃ        係止孔部
２３３ｄ        偏向リブ（リブの一例）
２３３ｅ        案内リブ
２３３ｆ        内壁面
２３４          第２ダクトカバー部材
２３４１        第１ガイド部
２３４２        第２ガイド部
２３４ａ        内壁面
２３４ｂ        係合突起部
２３５          変位部
２３５１        交差ダクト部
２３５ａ        壁面
２３５ｂ        底面
２３５ｃ        壁面
２３５ｄ        頂面
２３６          表面積低減部
ＦＬ            フレーム
Ｗ              空気
Ｘ              幅方向
Ｙ              奥行き方向
Ｚ              上下方向
α              直線状ダクト部
β              仮想直線
γ              仮想垂線
【図１】
0006347682.tif 000002
【図２】
0006347682.tif 000003
【図３】
0006347682.tif 000004
【図４】
0006347682.tif 000005
【図５】
0006347682.tif 000006
【図６】
0006347682.tif 000007
【図７】
0006347682.tif 000008
【図８】
0006347682.tif 000009
【図９】
0006347682.tif 000010
【図１０】
0006347682.tif 000011
【図１１】
0006347682.tif 000012
【図１２】
0006347682.tif 000013
【図１３】
0006347682.tif 000014
【図１４】
0006347682.tif 000015
【図１５】
0006347682.tif 000016
【図１６】
0006347682.tif 000017
【図１７】
0006347682.tif 000018
【図１８】
0006347682.tif 000019
【図１９】
0006347682.tif 000020
【図２０】
0006347682.tif 000021
【図２１】
0006347682.tif 000022